(57)【特許請求の範囲】
【請求項１】
無線通信エリア内に位置する乗車券との無線通信により読み取った、この乗車券が記憶する乗車券情報に応じて、鉄道の利用毎に運賃が発生する通常券利用にかかる改札処理、または、有効区間内であれば鉄道の利用回数に関係なく運賃が一定である企画券利用にかかる改札処理を選択的に行う自動改札機を管理する管理サーバであって、
企画券を発券した乗車券について、その識別番号の登録要求を、前記有効区間とは別に指定された利用開始駅に設置されている前記自動改札機に通知する第１の識別番号通知部と、
いずれかの駅に設置されている前記自動改札機から、乗車券に対して行った企画券利用による改札処理の改札情報を受信すると、この改札情報が示す改札処理が前記利用開始駅での入場処理であるかどうかを判定する企画券利用判定部と、
前記企画券利用判定部が前記利用開始駅での入場処理であると判定すると、今回企画券利用にかかる改札処理が行われた乗車券の識別番号の登録要求を、この乗車券に対して発券した企画券の前記有効区間内の各駅に設置されている前記自動改札機に通知する第２の識別番号通知部と、を備えた管理サーバ。
【請求項２】
前記第１の識別番号通知部は、前記企画券を発券した乗車券の識別番号の登録要求を、前記利用開始駅に設置されている出場用の自動改札機に通知しない、請求項１に記載の管理サーバ。
【請求項３】
前記第２の識別番号通知部は、今回企画券利用にかかる改札処理が行われた乗車券の識別番号の削除要求を、前記利用開始駅に設置されている自動改札機に通知する、請求項１、または２に記載の管理サーバ。
【請求項４】
前記企画券利用判定部が前記利用開始駅以外での改札処理であると判定すると、今回企画券利用にかかる改札処理が行われた乗車券の識別番号の登録要求を、前記利用開始駅に設置されている前記自動改札機に通知する第３の識別番号通知部を備えている、請求項３に記載の管理サーバ。
【請求項５】
前記第３の識別番号通知部は、今回企画券利用にかかる改札処理が行われた乗車券の識別番号の登録要求を、前記利用開始駅に設置されている入場用の自動改札機に通知しない、請求項４に記載の管理サーバ。
【請求項６】
前記企画券利用判定部が前記利用開始駅での出場処理であると判定すると、前記企画券を発券した乗車券の識別番号の削除要求を、各駅に設置されている自動改札機に通知する第４の識別番号通知部を備えている、請求項１〜５のいずれかに記載の管理サーバ。
【請求項７】
乗車券が記憶する乗車券情報に応じて、鉄道の利用毎に運賃が発生する通常券利用にかかる改札処理、または、有効区間内であれば鉄道の利用回数に関係なく運賃が一定である企画券利用にかかる改札処理を選択的に行う自動改札機、および、
前記自動改札機に対して、前記企画券利用にかかる改札処理が行える乗車券の識別番号を通知する上位装置、を有する駅務システムであって、
前記上位装置は、
企画券を発券した乗車券について、その識別番号の登録要求を、前記有効区間とは別に指定された利用開始駅に設置されている前記自動改札機に通知する第１の識別番号通知部と、
いずれかの駅に設置されている前記自動改札機から、乗車券に対して行った企画券利用による改札処理の改札情報を受信すると、この改札情報が示す改札処理が前記利用開始駅での入場処理であるかどうかを判定する企画券利用判定部と、
前記企画券利用判定部が前記利用開始駅での入場処理であると判定すると、今回企画券利用にかかる改札処理が行われた乗車券の識別番号の登録要求を、この乗車券に対して発券した企画券の前記有効区間内の各駅に設置されている前記自動改札機に通知する第２の識別番号通知部と、を備えている、
駅務システム。
【発明の詳細な説明】
【技術分野】
【０００１】
この発明は、駅の改札口に設置し、乗車券（非接触ＩＣ券）に記録されている乗車券情報を用いて、この乗車券を所有する利用者に対して改札処理を行う自動改札機を管理する管理サーバ、および駅務システムに関する。
【背景技術】
【０００２】
従来、鉄道の駅では、駅構内に入場する利用者や、駅構内から出場する利用者に対する改札処理を自動改札機で行っている。自動改札機は、周知のように、改札通路を通って駅構内に入場する利用者や、駅構内から出場する利用者が所持している乗車券に記録されている乗車券情報を読み取る。自動改札機は、読み取った乗車券情報を用いて、改札通路における利用者の通行（駅構内への入場や駅構内からの出場）を許可するかどうかを判定する。自動改札機は、改札通路における利用者の通行を許可する場合、その利用者にとって出口側に設けられた扉を開し、反対に許可しない場合、この扉を閉する。
【０００３】
乗車券は、媒体の種類で分類すると、磁気券、非接触ＩＣ券、２次元バーコード券（以下、ＱＲ券と言う。）等がある。磁気券は、乗車券情報を磁気データで記録している。非接触ＩＣ券は、近距離の無線通信機能を有し、乗車券情報を電子データでメモリに記憶している。ＱＲ券は、乗車券情報を券面に２次元バーコード（例えば、ＱＲコード）で印刷している。また、非接触ＩＣ券は、磁気券を廃止するために、磁気券に代わる乗車券としての利用をすすめている。ＱＲ券は、キップとしての利用を前提にしている。
【０００４】
このＱＲ券は、コピーすることで、簡単に偽造できるという欠点がある。ＱＲ券の偽造に対するセキュリティを向上させる提案が特許文献１に記載されている。具体的には、券売機が、キップとして発券したＱＲ券の発券番号を含む発券情報を上位装置に通知する。この発券番号は、発券した券の券面に２次元バーコードで印刷されている乗車券情報に含まれている。上位装置は、券売機が発券したＱＲ券毎に、そのＱＲ券が使用される可能性の高い駅の自動改札機に対して発券情報を通知する。各自動改札機は、上位装置から通知された発券情報を記憶する。
【０００５】
自動改札機は、２次元バーコードで印刷されている乗車券情報を読み取ると、読み取った乗車券情報と、記憶している発券情報と、を照合し、適正なＱＲ券であるかどうかを判定する。また、自動改札機は、通行を許可したＱＲ券について乗車券情報を上位装置に通知し、上位装置が各自動改札機に対して、この乗車券情報を、これ以降入場を拒否するネガ情報として他の自動改札機に通知する。各自動改札機は、読み取った乗車券情報と、記憶している発券情報と、を照合するときに、ネガ情報が登録されているＱＲ券については通行を拒否する。
【０００６】
なお、自動改札機は、改札処理の際に、ＱＲ券に対して入出場情報を書き込むことができない（２次元バーコードで記録されている乗車券情報を読み取るだけである。）。
【先行技術文献】
【特許文献】
【０００７】
【特許文献１】特開２００６−  ５９２４９号公報
【発明の概要】
【発明が解決しようとする課題】
【０００８】
しかしながら、乗車券には、鉄道の利用回数に関係なく運賃が一定である企画券（所謂、フリーパス）がある。企画券は、予め定められている有効区間内に位置する駅であれば何度でも入出場できる。特許文献１は、上述したＱＲ券の偽造に対するセキュリティを確保するためにネガ情報を通知する構成であるので、駅における利用者の入場が１回に限定される。したがって、特許文献１の構成では、企画券をＱＲ券で発券することができない。
【０００９】
また、自動改札機は、磁気券を処理する場合、投入された磁気券を搬送する構成を備えなければならず、自動改札機本体の小型化やコストダウンを妨げる。このことから、最近では、上述の磁気券の廃止が検討されている。これにともない、上述したＱＲ券だけでなく、非接触ＩＣ券でキップを発券することがすでに検討されている。
【００１０】
これらの理由から、非接触ＩＣ券が企画券としても利用できる駅務システムが望まれている。非接触ＩＣ券は、料金先払いのプリペイド方式や、料金後払いのポストペイ方式等により、キップを購入することなく、任意の駅間において鉄道が利用できる。一般に、この非接触ＩＣ券の利用形態は、ＳＦ（Stored Fare）券利用と呼ばれている。非接触ＩＣ券は、任意の２駅間の乗車券（キップ）として繰り返し利用できるので、利用者は非接触ＩＣ券を１枚所有しておけばよい。
【００１１】
非接触ＩＣ券を上述のＳＦ券利用だけでなく、企画券利用も行えるようにするには、自動改札機が、改札処理時に、非接触ＩＣ券をＳＦ券利用で改札処理を行うか、企画券利用で改札処理を行うか、を迅速に判定しなければならない。すなわち、この判定にかかる時間が長くなると、その分だけ改札処理にかかる時間が増大し、その結果、改札効率を低下させてしまう。また、改札処理時における、非接触ＩＣ券に対する入出場情報等の読み取りや、書き込みに要する時間の増加も抑える必要がある。
【００１２】
また、上述の企画券には、利用者の利便性を考慮し、利用開始駅が指定できるようにしたものがある。この利用者開始駅は、利用者が任意に指定できる駅である。利用者は、自宅近くの駅が企画券の有効区間内でなくても、この自宅近くの駅を利用者開始駅に指定することにより、この企画券が自宅近くの駅に入場するときから利用できる。すなわち、利用者は、この企画券を自宅近くの駅（利用開始駅）から、有効区間までの乗車券としても利用できる。
【００１３】
一方で、上述した企画券は、乗車券情報の総量が大きいので、企画券にかかる乗車券情報を全て非接触ＩＣ券に記憶させると、自動改札機が改札処理時に行う、非接触ＩＣ券に対する乗車券情報の読み取りや、書き込みにかかる通信時間が増大し、改札効率を大幅に低下させてしまう。
【００１４】
この発明の目的は、自動改札機における、利用開始駅が有効区間とは別に指定できる企画券の利用に対する改札効率の低下を十分に抑えることができる管理サーバ、および駅務システムを提供することにある。
【課題を解決するための手段】
【００１５】
この発明の管理サーバは、上記課題を解決し、その目的を達するために以下のように構成している。
【００１６】
この管理サーバは、無線通信エリア内に位置する乗車券との無線通信により読み取った、この乗車券が記憶する乗車券情報に応じて、鉄道の利用毎に運賃が発生する通常券利用にかかる改札処理、または、有効区間内であれば鉄道の利用回数に関係なく運賃が一定である企画券利用にかかる改札処理を選択的に行う自動改札機を管理する。
【００１７】
第１の識別番号通知部が、企画券を発券した乗車券について、この乗車券の識別番号の登録要求を、有効区間とは別に指定された利用開始駅に設置されている自動改札機に通知する。これにより、利用開始前の企画券については、この企画券を発券した乗車券の識別番号を利用開始駅の自動改札機が記憶する。利用者は、企画券の利用を開始するとき、利用開始駅で入場する。したがって、利用開始駅の出場用の自動改札機は、利用開始前の企画券について、この企画券を発券した乗車券の識別番号を記憶していなくてもよい。言い換えれば、利用開始駅の入場用の自動改札機が、利用開始前の企画券について、この企画券を発券した乗車券の識別番号を記憶していればよい。
【００１８】
なお、自動改札機は、企画券利用にかかる改札処理では、識別番号を記憶している乗車券であるかどうかによって、改札通路における利用者の通行可否を判定する。
【００１９】
企画券利用判定部が、いずれかの駅に設置されている自動改札機から、乗車券に対して行った企画券利用による改札処理の改札情報を受信すると、この改札情報が示す改札処理が利用開始駅での入場処理であるかどうか（すなわち、企画券の利用開始であるかどうか）を判定する。
【００２０】
また、第２の識別番号通知部が、企画券利用判定部が利用開始駅での入場処理であると判定すると（すなわち、企画券の利用開始であると判定すると）、今回企画券利用にかかる改札処理が行われた乗車券の識別番号の登録要求を、この乗車券に対して発券した企画券の有効区間内の各駅に設置されている自動改札機に通知する。したがって、利用が開始された企画券については、その企画券の有効区間内の各駅の自動改札機が、この企画券を発券した乗車券の識別番号を記憶する。利用が開始された企画券については、その企画券の有効区間内の各駅の自動改札機が、企画券利用にかかる改札処理においては、識別番号を記憶している乗車券であるかどうかによって、改札通路における利用者の通行可否を判定することができる。
【００２１】
また、第２の識別番号通知部は、企画券利用判定部が利用開始駅での入場処理であると判定すると、今回企画券利用にかかる改札処理が行われた乗車券の識別番号の削除要求を、利用開始駅に設置されている自動改札機に通知してもよい。このようにすれば、利用開始駅で、企画券利用による入出場が繰り返されるのを防止でき、企画券の使い回し等に対するセキュリティが確保できる。
【００２２】
また、企画券利用判定部が利用開始駅以外での改札処理（すなわち、すでに利用が開始された企画券であって、有効区間内の駅での改札処理）であると判定すると、今回企画券利用にかかる改札処理が行われた乗車券の識別番号の登録要求を、利用開始駅に設置されている自動改札機に通知する第３の識別番号通知部を備えてもよい。
【００２３】
このようにすれば、利用者は企画券の利用を終え、自宅等に戻るときに、指定した利用開始駅で出場することができる。
【００２４】
また、第３の識別番号通知部は、利用開始駅の入場用の自動改札機については、今回企画券利用にかかる改札処理が行われた乗車券の識別番号の登録要求を通知しなくてもよい。
【００２５】
さらに、企画券利用判定部が利用開始駅での出場処理であると判定すると、企画券を発券した乗車券の識別番号の削除要求を、各駅に設置されている自動改札機に通知する第４の識別番号通知部を備えてもよい。これにより、利用者がその利用を終えた企画券の利用を停止することができる。
【発明の効果】
【００２６】
この発明によれば、利用開始駅が有効区間とは別に指定できる企画券であっても、自動改札機で行う改札効率の低下を十分に抑えることができる。
【図面の簡単な説明】
【００２７】
【図１】駅務システムの構成を示す概略図である。
【図２】自動改札機の主要部の構成を示すブロック図である。
【図３】非接触ＩＣ券が記憶する乗車券情報を示す図である。
【図４】センタサーバの主要部の構成を示すブロック図である。
【図５】発券情報を示す図である。
【図６】券売機が企画券を発券する処理を示すフローチャートである。
【図７】センタサーバの発券情報の受信にかかる動作を示すフローチャートである。
【図８】自動改札機における改札処理を示すフローチャートである。
【図９】センタサーバの改札情報の受信にかかる動作を示すフローチャートである。
【発明を実施するための形態】
【００２８】
以下、この発明の実施形態について説明する。
【００２９】
図１は、この発明の実施形態にかかる駅務システムの構成を示す概略図である。鉄道網に設けられた各駅には、自動改札機１、券売機２、精算機（不図示）等の駅務機器、および駅サーバ３が設置されている。また、センタにはセンタサーバ５が設置されている。図１では、２つの駅（駅Ｘ，駅Ｙ）を例示している。
【００３０】
駅毎に、その駅に設置されている自動改札機１、券売機２等の駅務機器、駅サーバ３をＬＡＮ等のネットワークで接続している。自動改札機１や券売機２等の駅務機器は、各駅に１台以上設置されている。また、各駅の駅サーバ３は、専用回線や公衆回線等のネットワーク６を介してセンタサーバ５に接続している。各駅の駅サーバ３は、ネットワーク６を介してセンタサーバ５と通信できる。
【００３１】
自動改札機１は、周知のように駅の改札口に設置し、駅構内に入場する利用者や、駅構内から出場する利用者に対して改札処理を行う。入場用の自動改札機１は、駅構内に入場する利用者に対して改札処理を行う。出場用の自動改札機１は、駅構内から出場する利用者に対して改札処理を行う。自動改札機１は、利用者に対して改札処理を行う毎に、その改札処理にかかる情報（以下、改札情報と言う。）を自駅の駅サーバ３に通知する。
【００３２】
券売機２は、改札口周辺に設置し、駅構内に入場する利用者に対して、キップや企画券等の乗車券を販売する。ここで言う企画券とは、所謂フリーパスである。この券売機２は、ＳＦ券として利用できる非接触ＩＣ券に対して、企画券を発券する機能を有する。企画券は、有効日、および有効区間が定められている。企画券は、有効日であれば、有効区間内に位置する駅で何度でも入出場でき、また鉄道の利用料金が一定である乗車券である。この駅務システムは、利用者の利便性を考慮し、有効区間に加えて利用開始駅が指定できる企画券にも対応したものである。この利用者開始駅は、利用者が任意に指定できる駅である。利用者は、例えば、自宅近くの駅が企画券の有効区間内でなくても、この自宅近くの駅を利用者開始駅に指定することにより、この企画券が自宅近くの駅に入場するときから利用できる。すなわち、利用者は、この企画券を自宅近くの駅（利用開始駅）から、有効区間までの乗車券として利用できる。
【００３３】
なお、利用開始駅は、有効区間内の駅を指定してもよい。また、利用開始駅を指定しなくてもよい。利用開始駅が指定されていない企画券は、通常の企画券である。
【００３４】
また、企画券の有効区間は、鉄道網において連続する１つの区間のものもあれば、不連続の複数の区間のものもある。券売機２は、キップや企画券等の乗車券を発券する毎に、乗車券の発券にかかる情報（以下、発券情報と言う。）を自駅の駅サーバ３に通知する。
【００３５】
駅サーバ３は、自動改札機１や券売機２等の駅務機器から通知された情報（改札情報や発券情報）を、適当なタイミングでセンタサーバ５に通知する。また、駅サーバ３は、センタサーバ５から通知された情報（後述する、識別番号登録要求、識別番号削除要求等）を、必要に応じて自駅に設置されている自動改札機１や券売機２等の駅務機器に通知する。
【００３６】
図２は、この発明の実施形態にかかる自動改札機の主要部の構成を示すブロック図である。自動改札機１は、制御部１１と、乗車券処理部１２と、識別番号記憶部１３と、利用者検知部１４と、扉開閉部１５と、出力部１６と、通信部１７と、を備えている。
【００３７】
制御部１１は、自動改札機１本体の動作を制御する。
【００３８】
乗車券処理部１２は、乗車券である非接触ＩＣ券と近距離無線通信を行う無線通信部である。乗車券処理部１２の無線通信エリアは、利用者にとっての改札通路の入口側に位置する。改札通路に進入する利用者が、所有している非接触ＩＣ券を乗車券処理部１２の無線通信エリア内に翳す。非接触ＩＣ券は、公知のように、近距離の無線通信機能を有し、乗車券情報を電子データでメモリに記憶した乗車券である。
【００３９】
この非接触ＩＣ券が記憶する乗車券情報を図３に示す。乗車券情報には、この非接触ＩＣ券を識別する識別番号ＩＤｉ、発券された企画券の有効日を示す有効日情報、および、非接触ＩＣ券を利用した改札処理の履歴である入出場履歴情報等が含まれている。
【００４０】
有効日情報は、発券された企画券の有効日を示す情報である。利用者が企画券の購入にかかる操作を行った機器（ここでは、券売機２を例にする。）が、企画券の発券処理として、この有効日情報を非接触ＩＣ券に書き込む。入出場履歴情報は、利用日時、利用駅、利用区分（入場、または出場）、その時点の残高（プリペイド方式の場合）等を含む入出場情報を蓄積したものである。自動改札機１は、改札通路の通行を許可したときに、入出場情報を非接触ＩＣ券に書き込む。
【００４１】
識別番号記憶部１３は、企画券としての利用（企画券利用）で改札通路の通行を許可する非接触ＩＣ券毎に、その非接触ＩＣ券を識別する識別番号ＩＤｉを記憶する。この識別番号記憶部１３に記憶する非接触ＩＣ券の識別番号ＩＤｉは、センタサーバ５から駅サーバ３を介して通知される。詳細については、後述する。
【００４２】
利用者検知部１４は、改札通路に沿って配置した複数のセンサにより、改札通路内における利用者の位置を検出する処理を一定時間間隔で繰り返し、改札通路内における利用者の移動を追跡する。
【００４３】
扉開閉部１５は、改札通路に進入した利用者に対する改札通路の通行可否の判定結果に応じて、この利用者にとっての改札通路の出口側に位置する扉を開閉する。
【００４４】
出力部１６は、改札通路に進入した利用者に対して改札通路の通行を許可しないとする判定をしたときに、警告音による報知を行う。また、出力部１６は、改札通路に進入した利用者にとっての改札通路の出口側に位置する表示器（不図示）の画面表示の制御も行う。
【００４５】
通信部１７は、自駅の券売機２や、駅サーバ３との間におけるデータ通信を制御する。
【００４６】
図４は、センタサーバの主要部の構成を示すブロック図である。センタサーバ５は、制御部５１と、発券情報記憶部５２と、通信部５３と、を備えている。制御部５１は、センタサーバ５本体の動作を制御する。発券情報記憶部５２は、発券した企画券の発券情報を記憶する。
【００４７】
図５は、発券情報を示す図である。発券情報記憶部５２は、企画券の発券情報を、その企画券の有効日で分けて記憶している。各有効日の発券情報は、発券した企画券毎に、非接触ＩＣ券の識別番号ＩＤｉ、企画券の種類、および利用開始駅を対応づけたものである。利用開始駅が指定されていない企画券については、利用開始駅の欄が空欄である。図５では、有効日が２０１１年８月１５日である企画券の発券情報を示しているが、有効日が他の日である企画券の発券情報についても、同様である。この発券情報は、企画券を発券した装置（例えば、券売機２）から通知される。
【００４８】
また、センタサーバ５は、企画券の種類毎に、その企画券で、入出場できる駅を抽出するのに用いる乗降可能駅情報（不図示）等を記憶している。この乗降可能駅情報は、企画券の種類と、その企画券で入出場できる駅（有効区間内の駅）とを対応付けた情報である。
【００４９】
通信部５３は、ネットワーク６を介した、各駅の駅サーバ３との間における通信を制御する。
【００５０】
センタサーバ５は、毎日、始発が発車する前に、発券情報記憶部５２に記憶している当日分（有効日が今日である。）の発券情報の企画券毎に、以下の処理を行う。
【００５１】
センタサーバ５は、利用開始駅が指定されているかどうかを判定する。センタサーバ５は、利用開始駅が指定されていれば、対応づけられている非接触ＩＣ券の識別番号ＩＤｉの登録要求を、利用開始駅の入場用の自動改札機１に通知する。この登録要求は、利用開始駅の駅サーバ３を介して入場用の自動改札機１に通知される。この非接触ＩＣ券の識別番号ＩＤｉの登録要求は、利用開始駅の出場用の自動改札機１や、他の駅の自動改札機１に通知されない。
【００５２】
一方、センタサーバ５は、利用開始駅が指定されていなければ、その企画券の種類に基づき、入出場を許可する有効区間内の駅を抽出する。上述したように、センタサーバ５は、企画券の種類毎に、その企画券の利用で、入出場できる駅を抽出するのに用いる乗降可能駅情報を記憶している。センタサーバ５は、対応づけられている非接触ＩＣ券の識別番号ＩＤｉの登録要求を、抽出した各駅の自動改札機１に通知する。この登録要求は、駅サーバ３を介して自動改札機１に通知される。この非接触ＩＣ券の識別番号ＩＤｉの登録要求は、有効区間内の各駅の入場用の自動改札機１、および出場用の自動改札機１に通知され、有効区間外の駅の自動改札機１に通知されない。
【００５３】
自動改札機１は、本体の立ち上げ時に、識別番号記憶部１３をクリアし、その後、センタサーバ５から非接触ＩＣ券の識別番号ＩＤｉの登録要求が通知される毎に、通知された非接触ＩＣ券の識別番号ＩＤｉを識別番号記憶部１３に記憶する。
【００５４】
この処理により、利用当日の前日以前に購入された企画券は、利用開始駅が指定されていれば、その利用開始駅の入場用の自動改札機１が非接触ＩＣ券の識別番号ＩＤｉを記憶し、利用開始駅が指定されていなければ、有効区間内に位置する各駅の自動改札機１（入場用、および出場用）が非接触ＩＣ券の識別番号ＩＤｉを記憶する。
【００５５】
次に、利用者が企画券を購入する処理について説明する。利用者が企画券を購入できる機器は、非接触ＩＣ券に対して、発券した企画券の有効日情報を書き込むことができ、且つ、企画券の発券にかかる発券情報をセンタサーバ５に通知できる機器であればよい。ここでは、券売機２で企画券を発券する場合を例にして説明する。
【００５６】
図６は、券売機が企画券を発券する処理を示すフローチャートである。
【００５７】
企画券を購入する利用者は、所有する非接触ＩＣ券を券売機２に投入し、購入する企画券の種類、その企画券の有効日、利用開始駅等を指定する入力操作を行う。利用開始駅については、指定してもよいし、指定しなくてもよい。
【００５８】
券売機２は、利用者が投入した非接触ＩＣ券を受け付けるとともに、購入する企画券の種類や、その企画券の有効日、利用開始駅等にかかる入力操作を受け付ける（ｓ１）。券売機２は、企画券の発券にかかる料金（企画券の販売金額）の精算が、今回投入された非接触ＩＣ券で行えるかどうかを判定する（ｓ２）。券売機２は、ｓ２において、残高不足等で精算できないと判定すると、利用者に対して現金での精算を要求する（ｓ３）。
【００５９】
現金での精算が要求された利用者は、券売機２に貨幣を投入する。
【００６０】
券売機２は、ｓ２において精算できると判定した場合、または、ｓ４で精算金額以上の貨幣が投入されると、利用者が今回指定した企画券の有効日を示す有効日情報を、投入された非接触ＩＣ券に書き込む（ｓ５）。また、ｓ５では、企画券の発券にかかる料金の精算も行う。そして、券売機２は、今回投入された非接触ＩＣ券を放出し（ｓ６）、利用者に返却する。
【００６１】
上述の処理により、非接触ＩＣ券には、今回購入した企画券の有効日を示す有効日情報が乗車券情報として書き込まれる。
【００６２】
さらに、券売機２は、今回発券した企画券の発券情報を自駅の駅サーバ３を介してセンタサーバ５に通知し（ｓ７）、ｓ１に戻る。ｓ７でセンタサーバ５に通知する企画券の発券情報には、企画券の発券に使用された非接触ＩＣ券の識別番号ＩＤｉ、発券した企画券の有効日を示す有効日情報、発券した企画券の種類、指定された利用開始駅を示す駅コード等が含まれている。
【００６３】
次に、企画券の発券情報が通知されたセンタサーバ５の動作について説明する。図７は、センタサーバの動作を示すフローチャートである。センタサーバ５は、企画券の発券情報を受信すると（ｓ１１）、この企画券の発券情報を発券情報記憶部５２に記憶する（ｓ１２）。センタサーバ５は、企画券の有効日が当日であるかどうかを判定する（ｓ１３）。センタサーバ５は、企画券の有効日が当日でなければ、ｓ１１に戻る。
【００６４】
センタサーバ５は、企画券の有効日が当日であれば、利用開始駅が指定されているかどうかを判定する（ｓ１４）。センタサーバ５は、利用開始駅が指定されていれば、対応づけられている非接触ＩＣ券の識別番号ＩＤｉの登録要求を、利用開始駅の入場用の自動改札機１に通知する（ｓ１５）。この登録要求は、利用開始駅の駅サーバ３を介して入場用の自動改札機１に通知される。この非接触ＩＣ券の識別番号ＩＤｉの登録要求は、利用開始駅の出場用の自動改札機１や、他の駅の自動改札機１に通知されない。
【００６５】
センタサーバ５は、利用開始駅が登録されていなければ、その企画券の種類に基づき、入出場を許可する有効区間内の駅を抽出する（ｓ１６）。センタサーバ５は、対応づけられている非接触ＩＣ券の識別番号ＩＤｉの登録要求を、抽出した各駅（有効区間内の駅）の自動改札機１に通知する（ｓ１７）。この登録要求は、駅サーバ３を介して自動改札機１に通知される。この非接触ＩＣ券の識別番号ＩＤｉの登録要求は、有効区間内の各駅の入場用の自動改札機１、および出場用の自動改札機１に通知され、有効区間外の駅の自動改札機１に通知されない。
【００６６】
このｓ１４〜ｓ１７にかかる処理は、上述した始発の発車前に、発券情報記憶部５２に記憶している当日分（有効日が今日である。）の発券情報の企画券毎に行う処理と同じである。
【００６７】
自動改札機１は、センタサーバ５から非接触ＩＣ券の識別番号ＩＤｉの登録要求が通知される毎に、通知された非接触ＩＣ券の識別番号ＩＤｉを識別番号記憶部１３に記憶する。
【００６８】
上記処理により、利用開始駅が指定されている企画券を発券した非接触ＩＣ券の識別番号ＩＤｉは、利用開始駅の入場用の自動改札機１が識別番号記憶部１３に記憶する。また、利用開始駅が指定されていない企画券を発券した非接触ＩＣ券の識別番号ＩＤｉは、その企画券の有効区間内の各駅の自動改札機１（入場用、および出場用）が識別番号記憶部１３に記憶する。
【００６９】
次に、自動改札機１における改札処理について説明する。図８は、自動改札機における改札処理を示すフローチャートである。自動改札機１は、乗車券処理部１２が無線通信エリア内に翳された非接触ＩＣ券から乗車券情報を読み取る（ｓ２１）。ｓ２１では、非接触ＩＣ券の識別番号ＩＤｉ、有効日情報、前回の入出場情報を乗車券情報をとして読み取る。企画券の有効期間を示す有効日情報は、非接触ＩＣ券が有効日情報を記憶していなければ、ｓ２１読み取った乗車券情報に含まれない。
【００７０】
自動改札機１は、ｓ２１読み取った乗車券情報に、企画券の有効期間を示す有効日情報が含まれているかどうかを判定する（ｓ２２）。自動改札機１は、ｓ２２で読み取った乗車券情報に有効日情報が含まれていなければ、今回の非接触ＩＣ券の利用をＳＦ券利用（この発明で言う、通常券利用）と判定し、ＳＦ券利用にかかる改札処理を行う（ｓ２３）。
【００７１】
ｓ２３では、公知の自動改札機と同様に、ｓ２１で読み取った乗車券情報に含まれている前回の入出場情報に基づきサイクルエラーであるかどうかを判定する。自動改札機１は、今回の改札処理が、駅への入場が連続したり、駅からの出場が連続したりする処理であれば、サイクルエラーであると判定する。また、自動改札機１は、サイクルエラーでないと判定すると、運賃の精算可否を判定する。この判定は、通常、利用者が駅から出場する出場時に行い、駅に入場する入場時には行わない。自動改札機１は、サイクルエラー、または運賃の精算不可と判定すると、改札通路における利用者の通行を許可しない。具体的には、扉開閉部１５が利用者の出口側に位置する扉を閉し、出力部１６が改札通路の通行を許可しない旨を利用者に認識させる警告報知を行う。
【００７２】
自動改札機１は、サイクルエラーでなく、運賃の精算可と判定すると、改札通路における利用者の通行を許可する。具体的には、今回の改札処理にかかる入場情報、または出場情報を非接触ＩＣ券に書き込むとともに、扉開閉部１５が利用者の出口側に位置する扉を開する。
【００７３】
また、自動改札機１は、ｓ２２で読み取った乗車券情報に企画券の有効日を示す有効日情報が含まれていれば、今日が、その有効日であるかどうかを判定する（ｓ２４）。自動改札機１は、ｓ２４で今日が有効日でないと判定すると、有効日情報が示す有効日がすでに過ぎているかどうかを判定する（ｓ２５）。自動改札機１は、有効日情報が示す有効日がまだ過ぎていなければ、上述したｓ２３でＳＦ券利用にかかる改札処理を行う。
【００７４】
また、自動改札機１は、有効日情報が示す有効日がすでに過ぎていれば、ｓ２６でＳＦ券利用にかかる改札処理を行う。ｓ２６では、ｓ２３で説明した改札処理を行うとともに、通行不可と判定した場合に、非接触ＩＣ券に対して有効日がすでに過ぎている有効日情報を消去する書き込みを行う。また、通行可と判定した場合にも、非接触ＩＣ券に対して有効日がすでに過ぎている有効日情報を消去する書き込みを、入出場情報の書き込みとともに行う。
【００７５】
自動改札機１がｓ２５、およびｓ２６にかかる処理を行うことで、非接触ＩＣ券が有効日が過ぎた（利用することできない）企画券の有効日情報をいつまでも記憶しつづけることがない。
【００７６】
自動改札機１は、ｓ２４で今日が有効日であると判定すると、識別番号記憶部１３に記憶している識別番号ＩＤｉの中に、ｓ２１で読み取った乗車券情報に含まれている非接触ＩＣ券の識別番号ＩＤｉがあるかどうかを判定する（ｓ２７）。自動改札機１は、上述した処理が適正に行われていれば、企画券で入出場を許可する全ての非接触ＩＣ券の識別番号ＩＤｉを識別番号記憶部１３に記憶している。しかし、ネットワーク６で生じた通信障害等、様々な原因による処理不良によって、識別番号ＩＤｉが購入した企画券で入出場を許可する駅の自動改札機１に通知されていないことも考えられる。すなわち、自動改札機１が、企画券で入出場を許可する全ての非接触ＩＣ券の識別番号ＩＤｉを識別番号記憶部１３に記憶していない場合が考えられる。
【００７７】
自動改札機１は、ｓ２７で、識別番号記憶部１３に記憶している識別番号ＩＤｉの中に、ｓ２１で読み取った乗車券情報に含まれている非接触ＩＣ券の識別番号ＩＤｉがないと判定すると、ＳＦ券利用、または企画券利用を選択することなく、改札通路における利用者の通行を許可しないと判定する（ｓ２８）。具体的には、扉開閉部１５が利用者の出口側に位置する扉を閉し、出力部１６が改札通路の通行を許可しない旨を利用者に認識させる警告報知を行う。また、利用者の出口側に位置する表示器に、企画券利用が適正でない旨を利用者に通知するメッセージを表示する。
【００７８】
これにより、ネットワーク６で生じた通信障害等、様々な原因による処理不良によって、識別番号ＩＤｉが自動改札機１の識別番号記憶部１３に適正に記憶されなかった非接触ＩＣ券を所有している利用者に対して、誤って行ったＳＦ券利用としての改札処理により、運賃の誤収受が発生するのを防止できる。
【００７９】
また、乗車券情報（有効日情報）が偽造された非接触ＩＣ券を所有する利用者に対して、改札通路の通行を誤って許可することもない。
【００８０】
自動改札機１は、ｓ２７で、識別番号記憶部１３に記憶している識別番号ＩＤｉの中に、ｓ２１で読み取った乗車券情報に含まれている非接触ＩＣ券の識別番号ＩＤｉがあると判定すると、企画券利用にかかる改札処理を行う（ｓ２９）。ｓ２９では、ｓ２１で読み取った乗車券情報に含まれている前回の入出場情報に基づきサイクルエラーであるかどうかを判定する。自動改札機１は、サイクルエラーであると判定すると、改札通路における利用者の通行を許可しない。具体的には、扉開閉部１５が利用者の出口側に位置する扉を閉し、出力部１６が改札通路の通行を許可しない旨を利用者に認識させる警告報知を行う。また、自動改札機１は、サイクルエラーでないと判定すると、改札通路における利用者の通行を許可する。具体的には、今回の改札処理にかかる入場情報、または出場情報を非接触ＩＣ券に書き込むとともに、扉開閉部１５が利用者の出口側に位置する扉を開する。
【００８１】
自動改札機１は、改札通路における利用者の通行を許可した場合、その改札処理にかかる改札情報を駅サーバ３を介してセンタサーバ５に通知する（ｓ３０、ｓ３１）。ｓ３１でセンタサーバ５に通知する改札情報には、改札処理を行った自動改札機１が設置されている駅、入出場の区別、改札時刻、非接触ＩＣ券の識別番号ＩＤｉ、乗車券の利用形態（ＳＦ券利用または企画券利用）等が含まれている。
【００８２】
このように、自動改札機１が、非接触ＩＣ券から読み取る乗車券情報については、有効日情報が増加するだけである。また、自動改札機１は、ＳＦ券利用にかかる改札処理、または企画券利用にかかる改札処理の選択を、非接触ＩＣ券から読み取った乗車券情報に含まれている有効日情報を用いて、上述したｓ２２、ｓ２４、およびｓ２５にかかる判定処理を行う。したがって、自動改札機１が改札処理に要する時間の増加が抑えられ、その結果、改札効率の低下が抑えられる。
【００８３】
また、ｓ２７にかかる判定で、識別番号記憶部１３に記憶している識別番号ＩＤｉの中に、ｓ２１で読み取った乗車券情報に含まれている非接触ＩＣ券の識別番号ＩＤｉがないと判定すると、ＳＦ券利用、または企画券利用を選択することなく、改札通路における利用者の通行を許可しない構成としているので、システム障害にともなう運賃の誤収受を防止できるとともに、偽造券に対するセキュリティの低下も抑えられる。
【００８４】
次に、自動改札機１からの改札情報を受信したセンタサーバ５の動作について説明する。図９は、センタサーバの動作を示すフローチャートである。
【００８５】
センタサーバ５は、受信した改札情報を図示していない改札情報記憶部に記憶する。センタサーバ５は、自動改札機１から送信されてきた改札情報を受信すると（ｓ４１）、企画券利用にかかる改札処理であるかどうかを判定する（ｓ４２）。センタサーバ５は、ｓ４２で企画券利用でないと判定すると、ｓ４１に戻る。
【００８６】
センタサーバ５は、ｓ４２で企画券利用であると判定すると、発券情報記憶部５２に記憶している当日分の企画券の発券情報を検索し、指定されている利用開始駅での改札処理であるかどうかを判定する（ｓ４３）。
【００８７】
センタサーバ５は、ｓ４３で利用開始駅での改札処理であると判定すると、駅への入場であるか、駅からの出場であるかを判定する（ｓ４４）。センタサーバ５は、利用開始駅での入場にかかる改札処理であると判定すると、その企画券の種類に基づき、入出場を許可する有効区間内の駅を抽出する（ｓ４５）。センタサーバ５は、対応づけられている非接触ＩＣ券の識別番号ＩＤｉの登録要求を、抽出した各駅（有効区間内の駅）の自動改札機１に通知する（ｓ４６）。この登録要求は、駅サーバ３を介して自動改札機１に通知される。この非接触ＩＣ券の識別番号ＩＤｉの登録要求は、有効区間内の各駅の入場用の自動改札機１、および出場用の自動改札機１に通知され、有効区間外の駅の自動改札機１に通知されない。ｓ４５、およびｓ４６は、上述したｓ１６、およびｓ１７と同じ処理である。また、センタサーバ５は、今回改札処理を行った非接触ＩＣ券の識別番号ＩＤｉの登録削除要求を、利用開始駅の入場用の自動改札機１に通知し（ｓ４７）、ｓ４１に戻る。
【００８８】
これにより、指定されていた利用開始駅で、企画券利用により入場した非接触ＩＣ券の識別番号ＩＤｉは、企画券の有効区間内の駅の自動改札機１の識別番号記憶部１３に記憶され、この利用開始駅に設置されている自動改札機１の識別番号記憶部１３から削除される。すなわち、利用開始駅が指定されていない企画券と同様の状態になる。したがって、利用開始駅に入場した利用者は、この時点では、企画券利用により、利用開始駅で出場することも、入場することもできない。したがって、利用開始駅での企画券の使い回しに対するセキュリティを確保することができる。
【００８９】
また、センタサーバ５は、ｓ４３で利用開始駅での改札処理でないと判定すると、すなわち、有効区間内の駅での改札処理であると判定すると、今回改札処理を行った非接触ＩＣ券の識別番号ＩＤｉの登録要求を、利用開始駅の出場用の自動改札機１に通知し（ｓ４８）、ｓ４１に戻る。
【００９０】
これにより、今回改札処理を行った非接触ＩＣ券の識別番号ＩＤｉが、利用開始駅に設置されている出場用の自動改札機１の識別番号記憶部１３に記憶される。このように、利用者は、企画券利用により、有効区間内の駅で入出場を行うと、利用開始駅で出場できる状態になる。したがって、企画券の利用を終え、自宅に戻るときに、指定した利用開始駅で企画券利用により出場できる。
【００９１】
また、利用者が、有効区間内の駅で入出場を繰り返している間は、改札処理を行った非接触ＩＣ券の識別番号ＩＤｉの登録削除要求が有効区間内の各駅の自動改札機１に通知されることはない。また、利用開始駅の出場用の自動改札機１は、ｓ４８にかかる処理によって、同じ非接触ＩＣ券の識別番号ＩＤｉの登録要求が複数回通知されることもあるが、すでに記憶している識別番号ＩＤｉの登録要求については、この通知を無視する構成とすればよい。
【００９２】
また、センタサーバ５は、ｓ４４で利用開始駅での出場であると判定すると、今回改札処理を行った非接触ＩＣ券の識別番号ＩＤｉの登録削除要求を、利用開始駅、および有効区間内の各駅の自動改札機１に通知し（ｓ４９）、ｓ４１に戻る。すなわち、利用者が、企画券利用により、利用指定駅で出場すると、その企画券利用により入出場が許可される駅がなくなる。すなわち、その企画券が利用できなくなる。
【００９３】
なお、利用開始駅を指定していない企画券の場合は、改札処理を行った非接触ＩＣ券の識別番号ＩＤｉの登録削除要求が有効区間内の各駅の自動改札機１に通知されることはない。
【００９４】
このように、この実施形態によれば、利用開始駅が有効区間とは別に指定できる企画券であっても、自動改札機１で行う改札効率の低下を十分に抑えることができる。
【符号の説明】
【００９５】
１…自動改札機
２…券売機
３…駅サーバ
５…センタサーバ
１１…制御部
１２…乗車券処理部
１３…識別番号記憶部
１４…利用者検知部
１５…扉開閉部
１６…出力部
１７…通信部
５１…制御部
５２…発券情報記憶部
５３…通信部
【図２】
0005857566.tif 000002
【図３】
0005857566.tif 000003
【図４】
0005857566.tif 000004
【図５】
0005857566.tif 000005
【図６】
0005857566.tif 000006
【図７】
0005857566.tif 000007
【図８】
0005857566.tif 000008
【図９】
0005857566.tif 000009
【図１】
0005857566.tif 000010